(57)【要約】【課題】レコード等の記録媒体を大量に収納・持ち運びすることを可能とし、それらの出し入れの操作を容易なものとともに、収納位置を正確に把握することができる包装を安価に提供する。【解決手段】  音響又は映像を記録する円盤状の記録媒体用包装であって、上部に開口を有し、円盤状の記録媒体を収納する袋状の包装本体と、包装本体の少なくとも底部に形成された切欠部と、開口上部に突出するタグ部とを備える。また、この記録媒体用包装を複数格納する収納ケースは、記録媒体用包装が垂直状態で複数収納可能な収納部本体と、収納部本体上部の開口部とを有し、ケースの開口部は、開口部の縁部に一方の切欠部を係合させ、縁部と対向する縁部上に包装本体側部を載置することにより、記録媒体用包装を傾斜させた状態で保持可能となっている。【選択図】  図４
0003126655.tif 000002
【実用新案登録請求の範囲】
【請求項１】
音響又は映像を記録する円盤状の記録媒体用包装であって、
上部に開口を有し、前記円盤状の記録媒体を収納する袋状の包装本体と、
前記包装本体の少なくとも底部に形成された切欠部と、
前記開口上部に突出するタグ部と
を備えることを特徴とする記録媒体用包装。
【請求項２】
上記記録媒体用包装を複数収納する収納ケースであって、
前記記録媒体用包装が垂直状態で複数収納可能な収納部本体と、
収納部本体上部の開口部と
を有し、前記ケースの開口部は、該開口部の縁部に一方の前記切欠部を係合させ、該縁部と対向する縁部上に前記包装本体側部を載置することにより、前記記録媒体用包装を傾斜させた状態で保持可能となっている
ことを特徴とする収納ケース。
【考案の詳細な説明】
【技術分野】
【０００１】
本考案は、レコードやＣＤ、ＤＶＤ等の音響又は映像を記録する円盤状の記録媒体用包装及びその収納ケースに関する。
【背景技術】
【０００２】
従来、レコードやＣＤ、ＤＶＤ等の音響又は映像を記録する円盤状の記録媒体は、紙製、プラスチック製のジャケットに収納されて包装されている。
【０００３】
このような紙製のジャケットとしては、例えば特許文献１に開示されているように、レコードを出し入れするための出し入れ口、当該ジャケットの外側から中に入れたレコードのレーベルが確認できるための窓が設けられている。なお、海外から輸入されるアナログのレコードでは、産出国や音楽ジャンルによって、紙製の簡易的なジャケットに収納されていることも多い。
【特許文献１】意匠登録第１２３７９９８号公報
【考案の開示】
【考案が解決しようとする課題】
【０００４】
しかしながら、ＤＪ（ディスクジョッキー）など、大量のレコードを持ち歩き、複数枚のレコードを頻繁に交換して視聴させる職種では、ジャケットからの出し入れも頻繁に行う必要がある。また、ＤＪは、迅速にレコードを交換する作業が求められることから、どのレコードがどこに収納されているかを正確に把握していなければならず、レコードの出し入れの作業に際しても、操作の正確性が要求される。その一方で、上述した紙製の簡易的なジャケットは傷みやすいという問題があるが、大量のレコードを取り扱うため、安価であることが好ましい。
【０００５】
そこで、本考案は、上記のような問題を解決するものであり、レコードやＣＤ、ＤＶＤ等の音響又は映像を記録する円盤状の記録媒体を大量に収納・持ち運びすることを可能とし、それらの出し入れの操作を容易なものとし、収納位置を正確に把握することができる記録媒体用包装及びその収納ケースを安価に提供することを目的とする。
【課題を解決するための手段】
【０００６】
上記課題を解決するために、本考案は、音響又は映像を記録する円盤状の記録媒体用包装であって、上部に開口を有し、円盤状の記録媒体を収納する袋状の包装本体と、包装本体の少なくとも底部に形成された切欠部と、開口上部に突出するタグ部とを備える。
【０００７】
他の考案は、記録媒体用包装を複数格納する収納ケースであって、記録媒体用包装が垂直状態で複数収納可能な収納部本体と、収納部本体上部の開口部とを有し、ケースの開口部は、開口部の縁部に一方の切欠部を係合させ、縁部と対向する縁部上に包装本体側部を載置することにより、記録媒体用包装を傾斜させた状態で保持可能となっている。
【０００８】
これらの考案では、収納ケース上部の開口部において、開口部から記録媒体用包装を垂直状態で複数収納するとともに、記録媒体の使用に際し、ケースの開口部の縁部に一方の切欠部を係合させ、縁部と対向する縁部上に包装本体側部を載置し、開口部において記録媒体用包装を傾斜させた状態で保持する。
【０００９】
このような本考案によれば、レコード等の記録媒体をジャケット（記録媒体用包装）に入れ、さらにそれらジャケットを多数、収納ケースに垂直に立設させた状態で収納することができる。そして、レコードの試聴中は、切欠部を係合させ、開口部縁部においてジャケットを傾斜させた状態で保持しておくことにより、視聴後、速やかにレコードをジャケットに戻すことができる。ジャケットにはレコードのタイトルやアーティスト名等を記録することができるタグ部が上方に突出しているため、収納ケース内にジャケットを多数収納した状態であっても、ジャケット内のレコードの内容を容易に知ることができる。
【００１０】
なお、上記考案において、包装本体の側部上部にも切欠部を設けてもよい。この場合には、レコード視聴中におけるジャケットの保持状態をより安定したものとすることができる。
【考案の効果】
【００１１】
以上述べたように、この考案によれば、レコードやＣＤ、ＤＶＤ等の音響又は映像を記録する円盤状の記録媒体を大量に収納・持ち運びすることを可能とし、それらの出し入れの操作を容易なものとともに、収納位置を正確に把握することができる記録媒体用包装及びその収納ケースを安価に提供することができる。
【考案を実施するための最良の形態】
【００１２】
以下に添付図面を参照して、本考案に係る包装の実施形態を詳細に説明する。図１は、本実施形態に係るレコードジャケット１の全体構成を示す斜視図であり、図２は、その正面図である。
【００１３】
レコードジャケット１は、音響又は映像を記録する円盤状の記録媒体（本実施形態では、音響レコード１０）用の包装であって、上部に開口１３を有し、レコード１０を収納する袋状の包装本体１２と、包装本体１２の少なくとも底部１２ｂに形成された一対の切欠部１４，１４と、開口１３上部に突出するタグ部１１とを備える。
【００１４】
包装本体１２は、本実施形態では、ケント紙等の厚紙（例えば、商品名「サンサンケント」北越製紙、長岡・３号（四六判Ｔ目１００枚包・１３５ｇ）を表裏折り畳み、貼り合わせて、上部に開口１３を有する正方形状の袋体としたものである。この包装本体１２の中央には、内部に収納されたレコードのレーベルに対応する位置に、表裏に貫通した窓１２ａが設けられている。なお、この窓１２ａには、ビニールやセロファンなどを貼ってもよい。
【００１５】
切欠部１４は、包装本体１２の底部１２ｂを切除して形成した凹部であり、底部１２ｂの両端部に配置され、本実施形態では半円状をなしている。なお、この切欠部１４の形状としては、半円状の他、例えば三角形状、四角形状など種々の形状とすることができる。また、この切欠部について本実施形態では、底部１２ｂにのみ設けたが、例えば図３に示すように、包装本体１２の側部１２ｃ上部に切欠部１５を追加して設けてもよい。この場合には、レコード視聴中におけるレコードジャケット１の保持状態をより安定したものとすることができる。
【００１６】
上記タグ部１１は、本実施形態では、包装本体１２の延長部分として形成され、レコードの内容に関する情報（曲名、アルバム名、アーティスト名、ジャンル等）を記載するインデックス欄１１ａが印刷されている。なお、このインデックス欄についても、例えば、図３に示すインデックス欄１１ｂのように、包装本体１２の上部に追加して設けてもよい。また、これらのインデックス欄１１ａ及び１１ｂは、複数行を設けてもよい。
【００１７】
次いで、上述したレコードジャケット１を複数格納する収納ケースについて説明する。図４は、本実施形態に係る収納ケース２の全体構成及び使用状態を示す正面図である。
【００１８】
図４（ａ）に示すように、収納ケース２は、具体的に、レコードジャケット１が垂直状態で複数収納可能な収納部本体２１と、収納部本体２１上部の開口部２３と、開口部２３を覆うように閉止する蓋体２２とを有している。
【００１９】
収納部本体２１は、例えば、プラスチックやポリエステル等で形成された透明・半透明の函体であり、垂直状態のレコードジャケット１が収納できる程度の深さを有している。蓋体２２は、開口部２３を覆う程度の面積を有する部材であり、クリップハンガー等の係止手段により、収納部本体２１に着脱自在に固定されるように構成されている。
【００２０】
収納部本体２１の開口部２３は、その周縁部（対向する部位を縁部２１ａ及び２１ｂとする）上にレコードジャケット１を傾斜させた状態で保持可能となるよう、その縁部２１ａ及び２１ｂの対向距離Ｄが設定されている。
【００２１】
すなわち、図４（ｂ）に示すように、縁部２１ａ上に、レコードジャケット１一方の切欠部１４を係合させ、この縁部２１ａと対向する縁部２１ｂ上にレコードジャケット１の側部１２ｃを載置することにより、レコードジャケット１を傾斜させた状態で保持する。
【００２２】
このような本実施形態に係るレコードジャケット１及び収納ケース２によれば、レコード１０をレコードジャケット１に入れ、さらにそれらレコードジャケット１を多数、収納ケース２に垂直に立設させた状態で収納することができる。これにより、大量のレコード等の記録媒体の保管状態を向上させつつ、これらの運搬を容易なものとすることができる。そして、レコードの試聴中は、蓋体２２を取り外した収納ケース２の縁部２１ａに切欠部１４を係合させ、開口部２３の周縁部においてレコードジャケット１を傾斜させた状態で保持しておく。これにより、視聴後、速やかにレコード１０をレコードジャケット１に戻すことができる。また、レコードジャケット１のタグ部１１には、レコード１０のタイトルやアーティスト名等が記録されているため、収納ケース２内にレコードジャケット１を多数収納した状態であっても、レコードジャケット１内のレコードの内容を容易に知ることができる。
【図面の簡単な説明】
【００２３】
【図１】実施形態に係るレコードジャケット１の全体構成を示す斜視図である。
【図２】実施形態に係るレコードジャケット１の全体構成を示す正面図である。
【図３】実施形態における切欠部の変更例を示す正面図である。
【図４】実施形態に係る収納ケース２の全体構成及び使用状態を示す正面図である。
【符号の説明】
【００２４】
１…レコードジャケット
２…収納ケース
１０…レコード
１１…タグ部
１１ａ，１１ｂ…インデックス欄
１２…包装本体
１２ａ…窓
１２ｂ…底部
１２ｃ…側部
１３…開口
１４，１４…切欠部
１５…切欠部（側部）
２１…収納部本体
２１ａ，２１ｂ…縁部
２２…蓋体
２３…開口部
【図１】
0003126655.tif 000003
【図２】
0003126655.tif 000004
【図３】
0003126655.tif 000005
【図４】
0003126655.tif 000006